(57)【要約】【課題】家庭用薄葉紙の取り出しを適正に行い、その結果、紙粉の発生を抑制する。【解決手段】内部に積層された家庭用薄葉紙２、…が収納され、上面１ａに家庭用薄葉紙が取り出される取出口１１を有する家庭用薄葉紙収納箱１である。上面の取出口の周囲には、複数のエンボス３、…が形成されている。【選択図】      図１
2004261352.tif 000002
【特許請求の範囲】
【請求項１】
内部に積層された家庭用薄葉紙が収納され、上面に前記家庭用薄葉紙が取り出される取出口を有する家庭用薄葉紙収納箱であって、
前記上面の前記取出口の周囲には、複数のエンボスが形成されていることを特徴とする家庭用薄葉紙収納箱。
【請求項２】
請求項１に記載の家庭用薄葉紙収納箱において、
前記エンボスは、前記上面から内側に向けて突設されてなることを特徴とする家庭用薄葉紙収納箱。
【請求項３】
請求項１又は２に記載の家庭用薄葉紙収納箱において、
前記取出口の二つの長辺の各縁部に沿って当該長辺の長さに略相当する長さに前記エンボスが配設されたエンボス層を、前記縁部から離間する方向に複数備えることを特徴とする家庭用薄葉紙収納箱。
【発明の詳細な説明】
【０００１】
【発明の属する技術分野】
本発明は、ティシューペーパー等の家庭用薄葉紙を収納する家庭用薄葉紙収納箱に関する。
【０００２】
【従来の技術】
従来より、家庭用薄葉紙の一つであるティシューペーパーを収納するティシューペーパー収納箱（以下、収納箱という。）が知られている。
一般に、収納箱内部のティシューペーパーは、２枚１組とされ、１組１組が継続して箱から取り出せるように交互に折り重ねられおり、収納箱の上面に設けられたティシューペーパーの取出口を介して外部に引き出されるようになっている。
また、収納箱は、その内部のティシューペーパーの充填効率を高めるために、内部に隙間がほとんど生じないようにしてティシューペーパーを収納した状態で製品化されている。
【０００３】
また、両端部に開口部が設けられたスリット、或いは直線状のスリット端点を起点として分岐したスリットを有し、取出口を覆うようにフィルムが設けられたティシューペーパー収納箱も知られている（例えば、特許文献１参照。）。
【０００４】
【特許文献１】
特開平１１−１３０１６７号公報
【０００５】
【発明が解決しようとする課題】
ところで、収納箱の取出口が設けられた上面は、一般的に、平面状とされているために、ティシューペーパーが取り出される際に、ティシューペーパーの表面と前記上面の内側の面のうち取出口周辺の部分とが接触した状態となる。つまり、前記上面の内側の面とティシューペーパーの表面との接触面積が大きくなることにより、ティシューペーパーの表面と前記上面の内側の面との摩擦が生じてしまうために、収納箱から取り出されるティシューペーパーが破れてしまうという問題があった。特に、例えば取出口を開封した直後の収納箱の中には、収納箱の高さに対して嵩の高いティシューペーパー束が収納されており、折り重ねられたティシューペーパーのうち、取出口を介して取り出される最上面のティシューペーパーは、収納箱上面の内側の面に押し付けられた状態となっている。従って、最上面のティシューペーパーから何組かのティシューペーパーが取り出される際にあっては、これらティシューペーパーの表面と収納箱上面の内側の面との接触面積が特に大きくなってしまい、前記摩擦が大きくなりティシューペーパーが破れ易くなっている。
さらに、ティシューペーパーが破れることに起因して紙粉が発生し易くなってしまうという問題もある。
【０００６】
また、上記特許文献１のように、取出口を覆うようにフィルムを設けた場合であっても、例えば取出口を開封した直後の収納箱においては、収納箱上面の内側の面と最上面のティシューペーパーの表面とは略面接触した状態となっており、最上面のティシューペーパーが取り出される際に当該ティシューペーパーの表面と収納箱上面の内側の面との接触面積が大きくなる。さらに、フィルムに設けられたスリットは、両端部に開口部が設けられているか、或いは直線状のスリット端点を起点として分岐しているために、スリットが必要以上に大きくなっており、取り出されるティシューペーパーの表面とフィルムのスリット周辺の内面との接触面積も大きくなってしまう。
このように、取出口を覆うようにフィルムを設けた収納箱であっても、収納箱上面の内側の面とティシューペーパーの表面との摩擦を小さくすることができず、収納箱から取り出されるティシューペーパーが破れてしまうという問題を解決するのは困難となっている。
【０００７】
本発明の課題は、家庭用薄葉紙の取り出しを適正に行うことができ、その結果、紙粉の発生を抑制することができる家庭用薄葉紙収納箱を提供することである。
【０００８】
【課題を解決するための手段】
請求項１に記載の発明は、例えば、図１〜図４に示すように、内部に積層された家庭用薄葉紙（例えば、ティシューペーパー２、…）が収納され、上面１ａに前記家庭用薄葉紙が取り出される取出口１１を有する家庭用薄葉紙収納箱（例えば、ティシューペーパー収納箱１）であって、
前記上面の前記取出口の周囲には、複数のエンボス３、…が形成されていることを特徴としている。
【０００９】
請求項１に記載の発明によれば、上面の取出口の周囲には、複数のエンボスが形成されているので、家庭用薄葉紙が取り出される際に当該家庭用薄葉紙の表面と前記上面の内側の面、特に、取出口周辺の部分との接触面積を小さくすることができる。よって、上面の内側の面と家庭用薄葉紙の表面との摩擦を小さくでき、当該家庭用薄葉紙の取り出しを適正に行うことができる。
特に、例えば、家庭用薄葉紙収納箱の内部に当該家庭用薄葉紙収納箱の高さに対して嵩の高い家庭用薄葉紙の束が収納されているような状態において、最上面の家庭用薄葉紙から何枚かの家庭用薄葉紙が取り出される際に、これら家庭用薄葉紙の表面と前記上面の内側の面との接触面積を小さくすることができ、これにより、ティシューペーパーの取り出しをスムーズに行うことができる。
また、家庭用薄葉紙の取り出しを適正に行うことができるので、取り出される家庭用薄葉紙が破れる度合いを低減でき、これにより、家庭用薄葉紙の破れに起因する紙粉の発生を抑制することができる。
【００１０】
請求項２に記載の発明は、請求項１に記載の家庭用薄葉紙収納箱において、
前記エンボスは、前記上面から内側に向けて突設されてなることを特徴としている。
【００１１】
請求項２に記載の発明によれば、エンボスは、上面から内側に向けて突設されているので、取り出される家庭用薄葉紙の表面と上面の内側の面との接触面積の減少を効果的に行うことができる。
【００１２】
請求項３に記載の発明は、例えば、図３に示すように、請求項１又は２に記載の家庭用薄葉紙収納箱において、
前記取出口の二つの長辺１１ａの各縁部１１ｂに沿って当該長辺の長さに略相当する長さに前記エンボスが配設されたエンボス層３Ａを、前記縁部から離間する方向に複数備えることを特徴としている。
【００１３】
請求項３に記載の発明によれば、請求項１又は２に記載の発明と同等の効果が得られるのは無論のこと、特に、エンボス層を取出口の長辺の縁部から離間する方向に複数備えている。すなわち、エンボス層は、取り出される家庭用薄葉紙の表面が上面の内側の面を摺擦する方向にわたって配設されることとなるので、取り出される家庭用薄葉紙の表面と上面の内側の面との摩擦を効果的に小さくすることができる。
【００１４】
【発明の実施の形態】
以下、図を参照して本発明に係る家庭用薄葉紙収納箱の実施の形態をティシューペーパー収納箱により説明する。
図１は、使用状態のティシューペーパー収納箱を示す斜視図であり、図２は、未使用状態のティシューペーパー収納箱を示す斜視図であり、図３は、図２のティシューペーパー収納箱の平面図である。
【００１５】
図１に示すティシューペーパー収納箱（以下、「収納箱」という。）１は、例えば、長辺の長さが２００〜２５０ｍｍ、短辺の長さが１００〜１２０ｍｍ、高さが５０〜１２０ｍｍの略直方体状に形成された収納箱であり、この収納箱１内にティシューペーパー２、…が積層されて収納されている。
なお、図１においては、ティシューペーパー２が取出口１１を介して引き出された状態を図示している。
【００１６】
収納箱１は、その上面にティシューペーパー２…を取り出すための取出口１１が設けられている。通常、最初の使用時に、収納箱１の上面１ａに設けられたループ状のミシン目に沿って収納箱１の一部１２（図２参照）を切りとることで、取出口１１が露出するようになっている。
取出口１１は、例えば図３に示すように、上面１ａの略中央にて、その長手方向が収納箱１の長手方向と略平行となるように形成されている。取出口１１の長辺１１ａは、例えば、円弧状に形成されており、長辺どうし１１ａ、１１ａが交わる２点を結ぶ線分を軸として略対象となっている。
【００１７】
収納箱１の上面１ａの取出口１１の周囲には、例えば、平面視略正六角形状の複数のエンボス３、…が形成されている。
エンボス３、…は、例えば、取出口１１に対して所定の距離をもって、取出口１１の二つの長辺１１ａの各縁部１１ｂに沿って当該長辺１１ａの長さに略相当する長さに配設されており、これによりエンボス層３Ａ（図３（ａ）参照）が構成されている。
また、エンボス３、…は、上面１ａから収納箱１の内側に向けて突設されている。これにより、取り出されるティシューペーパー２、…の表面と上面１ａの内面との接触面積の減少を効果的に行うことができる。
【００１８】
なお、エンボス３は、例えば、取出口１１を介して取り出されるティシューペーパー２に対して当該エンボス３による抵抗が生じにくくなるような向きに配設されている。具体的には、エンボス３は、その一つの対角線の向きが、ティシューペーパー２が取り出される際に、ティシューペーパー２、…が流れる方向と略平行となるように配設されており、これにより、前記ティシューペーパー２に対するエンボス３による抵抗を軽減可能となっている。
【００１９】
ここで、エンボス３の形状、個数、取出口１１までの距離及びピッチ並びにエンボス層３Ａの数等は、収納箱１の上面１ａやティシューペーパー２の寸法、収納箱１へのティシューペーパー２の充填率、ティシューペーパー２の密度等により、適宜任意に変更可能となっている。
すなわち、エンボス３の平面視における形状は、ティシューペーパー２が取り出される際に、抵抗となりにくいような形状であれば、如何なるものであっても良く、例えば、略正六角形以外の正多角形状であっても良いし、円形状であっても良い。
また、各エンボス３の突出長は、前記内面のティシューペーパー２の表面に接触する面積を軽減可能であれば如何なる長さであっても良い。なお、エンボス３、…は、上面１ａから収納箱１の外側に向かうように突設されたものであっても良い。
また、エンボス層３Ａは、例えば、取出口１１の縁部１１ｂから離間する方向に複数備えられていても良い。すなわち、例えば図３（ｂ）に示すように、縁部１１ｂに沿うよう配設され第一のエンボス層３Ａと、この第一のエンボス層３Ａよりも前記取出口１１の縁部１１ｂに対し離れて配置された第二のエンボス層３Ｂとが設けられている。これにより、複数のエンボス層３Ａ、３Ｂは、取り出されるティシューペーパー２、…の表面が上面１ａの内面を摺擦する方向にわたって配設されることとなるので、取り出されるティシューペーパー２、…の表面と上面１ａの内面との摩擦を効果的に小さくすることができる。
【００２０】
なお、取出口１１に、例えば、中央部にスリットを有し、取出口を被覆するようにフィルムを設けても良い。これにより、収納箱１内部のティシューペーパー２…は、フィルムにより外部のチリや埃から守られ衛生的に保たれるとともに、スリットを通して外部へ引き出すことができるようになる。
また、フィルムの構成材料としては、例えばポリエチレン、ポリプロピレン、ポリ塩化ビニル、ポリエステル、ポリビニールアルコールなどのプラスチックが挙げられる。
【００２１】
ティシューペーパー２、…は、例えば、２枚が１組とされ、１組１組が継続して箱から取り出せるように交互に折り重ねられており、ティシューペーパー１組を外へ引き出したときに、次のティシューペーパー１組がその上端が取出口１１よりも突出する位置まで収納箱１の内部から引き出される折り方となっている。
【００２２】
ティシューペーパー２の寸法は、ティシューペーパー２の折り畳み軸方向の長さが１８０〜２４５ｍｍ、軸方向に対し垂直方向の長さが１８０〜２３０ｍｍの範囲とされている。
【００２３】
【実施例】
以下、本発明の実施例及び比較例について説明する。
［実施例１〜２、比較例１］
（ティシューペーパー収納箱等）
ティシューペーパー収納箱の寸法：２４０×１１５×６０ｍｍ、
取出口の寸法：１９０×４５ｍｍ
（エンボスの形状等）
形状：正六角形、寸法：３．１ｍｍ２、突出長：１〜１．２ｍｍ、個数及びエンボス層の数：１７個のエンボスからなるエンボス層を取出口を挟んで１層ずつ（実施例１）、１７個のエンボスからなるエンボス層を取出口を挟んで２層ずつ（実施例２）、エンボス中心から取出口の縁部までの距離：１０ｍｍ（実施例１）、１０ｍｍと２５ｍｍ（実施例２）、
【００２４】
（ティシューペーパーの寸法等）
寸法：１９７×２２９ｍｍ、坪量：１２．０ｇ／ｍ２、枚数：１８０Ｗ、ティシューペーパー収納箱への充填率：８４％、密度：０．２５ｇ／ｃｍ３、ティシューペーパーの充填方法：積層したティシューペーパーの束をティシューペーパー収納箱に充填した。
【００２５】
（取り出し抵抗の測定方法）
電子天秤上に４２７ｇの鉄板を置き、この鉄板にティシューペーパーを収納したティシューペーパー収納箱を接着した。そして、上面よりティシューペーパーを１枚づつ取り出した。このとき、ティシューペーパー収納箱の上面における取り出し抵抗（ｇｆ）を電子天秤の値により測定した。測定した結果を基に算出した近似曲線を図４に示す。
なお、この測定方法において、取り出し抵抗が１００ｇｆ以下であれば、片手で無理なくティシューペーパーを取り出すことができるレベルである。
【００２６】
［評価］
（エンボスの影響）
図１に示すように、エンボスを設けない場合（比較例１）、５枚目の時点でも取り出し抵抗が１００ｇｆを越える。
これに対して、エンボスを設けている場合（実施例１）、１枚目の取り出し抵抗は１００ｇｆをわずかに越えるものの、エンボスを設けない場合のそれに比べて、取り出し抵抗を大幅に減少させることができた。また、２枚目の取り出し抵抗は、ほぼ１００ｇｆとなり、３枚目以降の取り出し抵抗も、１００ｇｆを下回り、ティシューペーパーの取り出しを適正に行うことができる。
【００２７】
（エンボス層の影響）
また、エンボス層を２層設けている場合（実施例２）、１枚目から取り出し抵抗が１００ｇｆを下回り、また、エンボス層を１層設けた場合に比べて全体的に取り出し抵抗が低下し、ティシューペーパーの取り出しをさらに適正に行うことができる。
【００２８】
以上説明した本発明にかかるティシューペーパー収納箱１によれば、上面１ａの取出口１１の周囲に形成された複数のエンボス３、…によって、ティシューペーパー２が取り出される際に当該ティシューペーパー２の表面と上面１ａの内面、特に、取出口１１周辺の部分との接触面積を小さくすることができる。よって、上面１ａの内面とティシューペーパー２の表面との摩擦を小さくでき、当該ティシューペーパー２の取り出しを適正に行うことができる。特に、例えば、収納箱１の内部に当該収納箱１の高さに対して嵩の高いティシューペーパー２の束が収納されているような状態において、最上面のティシューペーパー２から何枚かのティシューペーパー２が取り出される際に、これらティシューペーパー２の表面と前記上面１ａの内面との接触面積を小さくでき、これにより、ティシューペーパー２の取り出しをスムーズに行うことができる。
また、ティシューペーパー２の取り出しを適正に行うことができるので、取り出されるティシューペーパー２が破れる度合いを低減でき、これにより、ティシューペーパー２の破れに起因する紙粉の発生を抑制することができる。
【００２９】
なお、ティシューペーパー２、…を例にとり説明を行ったが、本発明はこれに限されるものではなく、収納する対象が家庭用薄葉紙であれば、ボックス入りトイレットペーパーや、キッチンペーパー、クッキングペーパーなどの収納箱であってもよく、また、エンボス３を形成可能であれば、家庭用薄葉紙収納箱の寸法や形状等は限定されるものではない。
また、家庭用薄葉紙は、２枚１組に限らず、３枚１組、４枚１組としても良い。
【００３０】
【発明の効果】
請求項１に記載の発明によれば、家庭用薄葉紙が取り出される際に当該家庭用薄葉紙の表面と前記上面の内側の面、特に、取出口周辺の部分との接触面積を小さくすることができる。よって、上面の内側の面と家庭用薄葉紙の表面との摩擦を小さくでき、当該家庭用薄葉紙の取り出しを適正に行うことができる。
また、取り出される家庭用薄葉紙が破れる度合いを低減でき、これにより、家庭用薄葉紙の破れに起因する紙粉の発生を抑制することができる。
【００３１】
請求項２に記載の発明によれば、取り出される家庭用薄葉紙の表面と上面の内側の面との接触面積の減少を効果的に行うことができる。
【００３２】
請求項３に記載の発明によれば、エンボス層は、取り出される家庭用薄葉紙の表面が上面の内側の面を摺擦する方向にわたって配設されることとなるので、取り出される家庭用薄葉紙の表面と上面の内側の面との摩擦を効果的に小さくすることができる。
【図面の簡単な説明】
【図１】本発明を適用した一実施の形態として例示するティシューペーパー収納箱を示す斜視図である。
【図２】図１のティシューペーパー収納箱を示す斜視図である。
【図３】図１のティシューペーパー収納箱の平面図である。
【図４】取り出し抵抗の測定結果を基に算出した近似曲線を示す図である。
【符号の説明】
１          ティシューペーパー収納箱（家庭用薄葉紙収納箱）
１ａ        上面
１１        取出口
１１ａ      長辺
１１ｂ      縁部
２          ティシューペーパー（家庭用薄葉紙）
３          エンボス
３Ａ、３Ｂ  エンボス層
【図１】
2004261352.tif 000003
【図２】
2004261352.tif 000004
【図３】
2004261352.tif 000005
【図４】
2004261352.tif 000006